(57)【要約】【課題】放熱効率を向上可能な撮像装置を提供する。【解決手段】筐体１００内で発生した熱を筐体外に放出するための放熱機構を有する撮像装置において、筐体の側面に筐体の底面外側へ傾斜して設けられた吸気開口１１４および排気開口１３４と、筐体の内面に吸気開口および排気開口と筐体の内部との間を各々に隔離するように設けられ、吸気開口および排気開口を筐体の内部に各々に連通する通気路を有する吸気側隔室１１８および排気側隔室１３８と、筐体の内部に設けられ吸気開口および排気開口の間で気流を発生させるファン１４０と、を備えた。これにより、筐体の内部と筐体の外部との間で通気が維持されるとともに、筐体の内部への液滴の進入が防止されるので、防水性能の低下を伴うことなしに吸気口および排気口の大型化が可能となり、圧増装置の放熱効率を向上させることができる。【選択図】図４
2009151037.tif 000002
【特許請求の範囲】
【請求項１】
筐体内で発生した熱を筐体外に放出するための放熱機構を有する撮像装置において、
前記筐体の側面に前記筐体の底面外側へ傾斜して設けられた吸気開口と、
前記筐体の内面に前記吸気開口と前記筐体の内部との間を隔離するように設けられ、前記吸気開口を前記筐体の内部に連通する通気路を有する吸気側隔室と、
前記筐体の側面に前記筐体の底面外側へ傾斜して設けられた排気開口と、
前記筐体の内面に前記排気開口と前記筐体の内部との間を隔離するように設けられ、前記排気開口を前記筐体の内部に連通する通気路を有する排気側隔室と、
前記筐体の内部に設けられ、前記吸気開口および前記排気開口の間で気流を発生させるファンと、
を備えたことを特徴とする、撮像装置。
【請求項２】
前記ファンの吐出口に連通する第１の開口、および前記排気側隔室に連通する第２の開口を有し、前記ファンから吐出される前記筐体内の空気を前記第１および第２の開口を通じて前記排気側隔室に伝達する空気伝達部材をさらに備えたことを特徴とする、請求項１に記載の撮像装置。
【請求項３】
前記吸気側隔室および／または前記排気側隔室には、前記吸気開口および／または前記排気開口を通じて前記吸気側隔室および／または前記排気側隔室に進入した液滴が前記筐体の内部に進入することを防止する防水機構が設けられたことを特徴とする、請求項１に記載の撮像装置。
【請求項４】
前記防水機構には、前記吸気側隔室および／または前記排気側隔室に進入した液滴を前記筐体外に排出する排出路が設けられたことを特徴とする、請求項３に記載の撮像装置。
【請求項５】
前記空気伝達部材の前記第２の開口と前記排気側隔室との間に、断熱部材が設けられたことを特徴とする、請求項２に記載の撮像装置。
【請求項６】
前記排気側隔室と前記筐体との間に、断熱部が設けられたことを特徴とする、請求項２に記載の撮像装置。
【発明の詳細な説明】
【技術分野】
【０００１】
本発明は、撮像装置に関する。
【背景技術】
【０００２】
電子機器の高性能化、小型化が進むにつれて、電子機器の放熱対策が問題となる。特に、発熱性の高い回路、電気モーターなどの部品を筐体内に収納する携帯型の電子機器では、放熱対策が大きな問題となる。電子機器の高性能化により部品の消費電力が高くなることで、部品から発生する熱が増加し、また、電子機器の小型化により部品の実装密度が向上し、かつ筐体の表面積が減少することで、部品から発生した熱が筐体内にこもり易くなる。この結果、筐体内の温度上昇により、部品の正常な機能が妨げられたり、場合によっては、ユーザに低温やけどなどの被害が生じたりする。
【０００３】
従来、電子機器の放熱対策として、吸気口、排気口、およびファンを含む放熱機構が知られている。この放熱機構では、一般的に、排気口の周辺にファンが設けられ、ファンから吐出される筐体内の空気が筐体外に排出される。この放熱機構では、筐体内に設けられたファンにより吸気口と排気口との間で気流を発生させ、吸気口と排気口との間に配置された部品から発生した熱により暖められた筐体内の空気を筐体外に強制的に排出することで、電子機器からの放熱が促される。そして、より高い放熱効率が要求される場合には、吸気口、排気口、およびファンを有する放熱機構の大型化、ファンの回転数向上などの対策により、放熱機構の効率化が図られる。
【０００４】
放熱効率を向上させる一対策として、吸気口および排気口の大型化が挙げられる。この対策により吸気面積および排気面積が増加することで、吸気口と排気口との間では、筐体内に設けられたファンによってより多くの気流が発生し、暖められた筐体内の空気を筐体外に効率的に排出することができる。
【発明の開示】
【発明が解決しようとする課題】
【０００５】
しかし、吸気口および排気口の単純な大型化は、電子機器の防水性能の低下を招き、吸気口および排気口から液滴が進入し易くなることで、筐体内の部品の正常な機能が妨げられてしまう場合がある。特に、屋外での使用頻度が高い撮像装置では、筐体の内部に雨滴が進入し易くなることで、このような問題が生じ易くなる。
【０００６】
また、放熱効率を低下させる一因として、ファンから吐出される高温の空気から排気口の周辺部への熱伝達が挙げられる。従来の放熱機構では、高温の空気が排気口に向けてファンから直接的に吐出されるので、排気口の周辺に設けられた金属製のシャーシが温められたり、外装パネルなどが温められたりする。これにより、筐体内での放熱が妨げられて放熱効率が低下するのみならず、部品の正常な機能が妨げられたり、ユーザに不快感を与えたり、場合によっては、ユーザに低温やけどなどの被害が生じたりするという問題がある。
【０００７】
本発明は上記問題点に鑑みてなされたものであり、その目的は、放熱効率を向上可能な、新規かつ改良された撮像装置を提供することにある。
【課題を解決するための手段】
【０００８】
上記課題を解決するために、本発明の第１の観点によれば、筐体内で発生した熱を筐体外に放出するための放熱機構を有する撮像装置において、筐体の側面に筐体の底面外側へ傾斜して設けられた吸気開口と、筐体の内面に吸気開口と筐体の内部との間を隔離するように設けられ、吸気開口を筐体の内部に連通する通気路を有する吸気側隔室と、筐体の側面に筐体の底面外側へ傾斜して設けられた排気開口と、筐体の内面に排気開口と筐体の内部との間を隔離するように設けられ、排気開口を筐体の内部に連通する通気路を有する排気側隔室と、筐体内に設けられ、吸気開口および排気開口の間で気流を発生させるファンと、を備えた撮像装置が提供される。
【０００９】
かかる構成によれば、筐体の側面には筐体の底面外側へ傾斜して吸気開口および排気開口が設けられるので、吸気開口および排気開口から筐体の内部への液滴の進入が防止される。また、筐体の内面には吸気開口および排気開口と筐体の内部との間を各々に隔離するように設けられ、吸気開口および排気開口を筐体の内部に各々に連通する通気路を有する吸気側隔室および排気側隔室が各々に設けられる。よって、吸気開口および排気開口と筐体の内部との間で通気が維持されるとともに、吸気開口および排気開口から進入した液滴が吸気側隔室内および排気側隔室内に留まることで筐体の内部への液滴の進入が防止される。これにより、防水性能の低下を伴うことなしに、吸気口および排気口の大型化が可能となり、放熱効率を向上させることができる。
【００１０】
また、上記ファンの吐出口に連通する第１の開口、および排気側隔室に連通する第２の開口を有し、ファンから吐出される筐体内の空気を第１および第２の開口を通じて排気側隔室に伝達する空気伝達部材をさらに備えてもよい。かかる構成によれば、ファンから吐出される筐体内の空気が空気伝達部材を通じて筐体外に排出されるので、ファンから吐出される筐体内の高温の空気から排気口の周辺部への熱伝達が抑制される。これにより、放熱効率を向上させることができる。
【００１１】
また、上記吸気側隔室および／または排気側隔室には、吸気開口および／または排気開口を通じて吸気側隔室および／または排気側隔室に進入した液滴が筐体の内部に進入することを防止する防水機構が設けられてもよい。かかる構成によれば、防水機構により筐体の内部への液滴の進入が防止され、防水性能の低下を抑制することができる。
【００１２】
また、上記防水機構には、吸気側隔室および／または排気側隔室に進入した液滴を筐体外に排出する排出路が設けられてもよい。かかる構成によれば、筐体の内部への液滴の進入が防止され、防水性能の低下を抑制することができる。
【００１３】
また、上記空気伝達部材の第２の開口と排気側隔室との間に、断熱部材が設けられてもよい。かかる構成によれば、空気伝達部材から排気側隔室への熱伝達を抑制することができる。
【００１４】
また、上記排気側隔室と筐体との間に、断熱部が設けられてもよい。かかる構成によれば、排気側隔室から筐体への熱伝達を抑制することができる。
【発明の効果】
【００１５】
本発明によれば、放熱効率を向上可能な撮像装置を提供することができる。
【発明を実施するための最良の形態】
【００１６】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１７】
図１は、本発明の一実施形態に係るビデオカメラ１０を示す説明図である。以下では、本実施形態に係る撮像装置としてビデオカメラ１０を例に挙げて説明する。しかし、本実施形態に係る撮像装置は、ビデオカメラ１０に限定されず、放熱効率の向上が要求されるスチルカメラなど他の撮像装置でもよい。
【００１８】
図１に示すように、ビデオカメラ１０は、バッテリ１１から供給される電力によりカメラ本体１２、ＣＣＤカメラ１３、およびマイクロホン１４を駆動させ、ＣＣＤカメラ１３により撮影された映像素材の映像データ、およびマイクロホン１４により周音された音声データを光ディスク１５などの記録媒体に記録する。
【００１９】
図２は、ビデオカメラ１０のシステム構成を示すブロック図である。図２に示すように、ビデオカメラ１０は、ユーザインターフェース（ＩＦ）２０、システム制御部３０、システム制御バス３５、各種メモリ４０、４２、４４、４６、映像／音声ＩＦ５０、圧縮伸張エンコーダ／デコーダ６０、データ制御部７０、ドライブ制御部８０、およびディスクドライブ装置９０を含んで構成される。
【００２０】
ユーザＩＦ２０は、操作キー、スイッチなどによるユーザ入力、発光素子、音響素子などによるユーザ出力などの処理を行う。
【００２１】
システム制御部３０は、システム制御バス３５およびプログラムメモリ４０を有し、システム１０全体を制御する。プログラムメモリ４０は、システム制御部３０で実行されるプログラムを格納するプログラム格納用メモリ、作業用メモリとして機能し、ファイルシステムなどが搭載される。
【００２２】
映像／音声ＩＦ５０は、システムに付属のカメラ５２（ＣＣＤカメラ１３に相当する。）、マイク５４（マイクロホン１４に相当する。）、ＬＣＤ５６、スピーカ５８などを介して、映像入力、音声入力、映像出力、音声出力などの処理を行う。なお、映像出力に関連して、ユーザに出力するアイコンなどの文字図形出力用のスクリーンメモリ４２が設けられてもよい。
【００２３】
圧縮伸張エンコーダ／デコーダ６０は、映像音声信号を圧縮伸長するために、例えば、ＭＰＥＧなど、動画像、静止画像の圧縮伸張形式に従って高圧縮の信号処理を行う。なお、圧縮伸張エンコーダ／デコーダ６０には、動画像信号のフレームまたはフィールド間の差分信号圧縮データを記憶するために、エンコーダ／デコーダメモリ４４が設けられる。
【００２４】
データ制御部７０は、圧縮伸張エンコーダ／デコーダ６０とドライブ制御部８０との間に配され、圧縮伸張に必要とされるデータの連続ストリーム転送と、ディスクドライブ装置９０のハンドシェークプロトコルに従うデータ転送との間で、ＦＩＦＯによるバッファ処理を行う。なお、データ制御部７０には、バッファ処理時のデータバッファ領域として用いるために、データメモリ４６が設けられる。
【００２５】
ドライブ制御部８０は、データ制御部７０を介してデータメモリ４６との間でハンドシェークを行い、ディスクドライブ装置９０との間で非連続的なハンドシェークプロトコルに従うデータ転送を処理する。
【００２６】
図３は、ビデオカメラ１０の放熱機構を示す説明図である。なお、図３は、図１に示す３−３’線沿いの断面を用いてビデオカメラ１０の内部構造を示す斜視図であり、シャーシ１７２、マザーボード１７５、筐体１００の一部を構成する側面パネル１０２の内側面および底面が部分的に示されている。
【００２７】
図３に示すように、ビデオカメラ１０の筐体１００内には、各種の電子回路基板１７４などの熱源が配置される。なお、筐体１００内の前面部にはＣＣＤブロック（不図示）、筐体１００内の側面部にはディスクドライブ格納領域１７８など、熱源となる特に発熱性の高い部品が配置される。
【００２８】
図３に示すように、放熱機構は、筐体１００の側面に設けられた第１吸気口１１０および排気口１３０、筐体１００内に設けられたモーターファン１４０、およびモーターファン１４０と排気口１３０との間に設けられたダクト部材１５０を含んで構成される。また、放熱機構は、筐体１００の底面に開口として設けられた第２吸気口１２０、第１吸気口１１０に近接して設けられた第１セパレータ１６２、ディスクドライブ格納領域１７８に隣接して設けられた第２セパレータ１６４を含む。第１および第２セパレータ１６２、１６４は、第１および第２吸気口１１０、１２０からモーターファン１４０に至る通気路を、ディスクドライブからの放熱を主目的とする第１通気路１６６と、ＣＣＤブロックおよび回路基板１７４からの放熱を主目的とする第２通気路１６８とに区分する。なお、第１通気路１６６は、回路基板１７４とディスクドライブ格納領域１７８との間を熱的に隔離する断熱層としても機能する。
【００２９】
放熱機構では、モーターファン１４０が回転すると、モーターファン１４０の吸込口１４２と吐出口１４４との間で圧力差が生じ、筐体１００外の空気が第１および第２吸気口１１０、１２０を通じて筐体１００内に取り込まれ、筐体１００内の空気がモーターファン１４０、ダクト部材１５０、および排気口１３０を通じて筐体１００外に排出される。これにより、筐体１００内では第１および第２吸気口１１０、１２０から排気口１３０へ向かう気流が発生する。
【００３０】
図３に矢印で示すように、第１吸気口１１０を通じて筐体１００内に吸込まれた空気は、第１セパレータ１６２により第１通気路１６６および第２通気路１６８に分流される。第１通気路１６６に分流された空気は、第２セパレータ１６４およびディスクドライブ格納領域１７８に沿って通気され、ディスクドライブを冷却した後にモーターファン１４０に吸込まれる。一方、第２通気路１６８に分流された空気は、第２吸気口１２０を通じて筐体１００内に取り込まれた空気と合流し、まずＣＣＤブロックを冷却した後に、第２セパレータ１６４および複数の回路基板１７４に沿って通気され、回路基板１７４を冷却した後にモーターファン１４０に吸込まれる。モーターファン１４０に吸込まれた空気は、ダクト部材１５０に吐出されダクト部材１５０内で通気方向を転じ、排気口１３０から筐体１００外へ排出される。
【００３１】
前述したように、放熱機構の放熱効率を向上させる一対策として、吸気口および排気口の大型化が挙げられるが、単純な大型化は、防水性能の低下を招くことになる。このため、本実施形態に係るビデオカメラ１０では、防水効率の低下を伴うことなしに、吸気口（第１吸気口）１１０および排気口１３０を大型化し、放熱効率を向上させる放熱機構が採用される。
【００３２】
図４および図５は、ビデオカメラ１０の側面パネル１０２を示す説明図である。図４は、側面パネル１０２の外面を示し、図５は、側面パネル１０２の内面を示している。
【００３３】
側面パネル１０２は、ビデオカメラ１０の筐体１００の一側面をなす、例えば樹脂製のモールド成形品などであり、図４、５に示すように、吸気口１１０、排気口１３０、コネクタ用の接続開口１０８などの開口を有する。吸気口１１０および排気口１３０は、側面パネル１０２にスリット状の開口として設けられる。
【００３４】
図４および図５に示すように、側面パネル１０２の内面には吸気口１１０に対応する吸気口カバー１１２（１１２ａ、１１２ｂ）が設けられ、側面パネル１０２の外面には側面パネル１０２の一部として構成され、排気口１３０に対応する排気口カバー１３２を一体化したパッド部材１０４が設けられる。吸気口カバー１１２は、側面パネル１０２の内面のうち吸気口１１０を含む領域を覆うように設けられ、排気口カバー１３２は、側面パネル１０２の外面のうち排気口１３０を含む領域を形成するように設けられる。
【００３５】
吸気口カバー１１２は、詳細は後述するが、吸気開口１１４の端部に連通する空間を形成する第１部材１１２ａと、第１部材１１２ａにより形成された空間と筐体１００の内部空間を連通する空間を形成する第２部材１１２ｂとから構成される。なお、図５に示す吸気口カバー１１２は、製造性および組立性の観点から２つの部材から構成されるが、１つの部材または３つ以上の部材から構成されてもよい。
【００３６】
図６は、吸気口１１０の詳細を示す説明図である。なお、図６は、図４に示す６−６’線沿いの断面を用いて吸気口１１０の詳細を示す断面図であり、吸気開口１１４を含む、側面パネル１０２の一部が示されている。
【００３７】
図６に示すように、吸気口１１０は、側面パネル１０２に筐体１００の底面外側へ傾斜して設けられる。吸気開口１１４は、吸気口カバー１１２を構成する第１部材１１２ａに設けられた隔壁１１６により複数のスリットに区分される（図３参照）。隔壁１１６は、吸気開口１１４から筐体１００の上面側へ所定の高さを有する。ここで、隔壁１１６の高さは、吸気開口１１４の大きさ、配置、傾斜角度などに応じて決定される。吸気口１１０には、第１および第２部材１１２ａ、１１２ｂから構成される吸気口カバー１１２によって、吸気開口１１４を筐体１００の内部に連通する通気路を有し、吸気開口１１４と筐体１００の内部との間を部分的に隔離する吸気側隔室１１８が形成される。
【００３８】
前述したような吸気口１１０の構成によれば、吸気開口１１４が筐体１００の側面に底面外側へ傾斜して設けられるので、吸気開口１１４から筐体１００の内部への雨滴など液滴の進入を防止することができる。また、吸気開口１１４から筐体１００の内部への通気路沿いに隔壁１１６を含む吸気口カバー１１２が設けられるので、吸気開口１１４から進入した液滴が吸気口カバー１１２により妨げられて吸気側隔室１１８内に留まり、筐体１００の内部への液滴の進入を防止することができる。
【００３９】
図７は、排気口１３０の詳細を示す説明図である。なお、図７は、図４に示す７−７’線沿いの断面を用いて排気口１３０の詳細を示す断面図であり、排気開口１３４を含む、側面パネル１０２の一部およびダクト部材１５０が示されている。
【００４０】
図７に示すように、排気口１３０は、パッド部材１０４の一部として構成される排気口カバー１３２に筐体１００の底面外側へ傾斜して設けられる。排気開口１３４は、排気口カバー１３２に設けられ、筐体１００の底面外側へ傾斜したルーバー１３３により複数のスリットに区分される。排気口１３０には、排気口カバー１３２によって、排気開口１３４を筐体１００の内部（ダクト部材１５０）に連通する通気路を有し、排気開口１３４と筐体１００の内部（ダクト部材１５０）との間を部分的に隔離する排気側隔室１３８が形成される。
【００４１】
また、排気側隔室１３８の下部には、ダクト部材１５０の下部との間に段差１３６が設けられ、また、排気口カバー１３２の外面と連通する排出孔を含む排出孔領域１３７が設けられる。ルーバー１３３の間隙を通じて排気側隔室１３８に進入した液滴は、段差１３６によりダクト部材１５０への進入を遮られ、排出孔領域１３７を通じて重力作用により筐体１００外に排出される。また、排気口カバー１３２およびダクト部材１５０は、例えば発泡性を有するシーリング部材１３５を介して互いに接続される。
【００４２】
前述したような排気口１３０の構成によれば、排気開口１３４が筐体１００の側面に底面外側へ傾斜して設けられるので、排気開口１３４から筐体１００の内部への雨滴など液滴の進入を防止することができる。また、排気開口１３４から筐体１００の内部への通気路沿いに排気口カバー１３２が設けられるので、排気開口１３４から進入した液滴が排気口カバー１３２により妨げられて排気側隔室１３８内に留まり、筐体１００の内部（ダクト部材１５０）への液滴の進入を防止することができる。さらに、排出孔領域１３７が設けられるので、排気側隔室１３８から筐体１００の内部（ダクト部材１５０）への液滴の進入を防止することができる。また、シーリング部材１３５が設けられるので、側面パネル１０２より内部（排気側隔室１３８からダクト部材１５０）への液滴の進入を防止することができる。なお、排出孔領域１３７は、排気口１３０に限らず、吸気口１１０に設けられてもよい。
【００４３】
前述したような放熱機構の採用により、防水性能の低下を伴うことなしに、吸気口１１０および排気口１３０の大型化が可能となり、放熱効率を向上させることができる。なお、吸気口１１０および排気口１３０は、筐体１００の側方面に設けられる代わりに、例えば前方面、後方面など他の側面に設けられてもよい。また、吸気口１１０および排気口１３０は、筐体１００の共通する側面に設けられる代わりに、互いに異なる側面に設けられてもよい。
【００４４】
一方、前述したように、放熱効率を低下させる一因として、モーターファン１４０から吐出される高温の空気から排気口１３０の周辺部への熱伝達が挙げられる。このため、本実施形態に係るビデオカメラ１０では、排気口１３０の周辺部への熱伝達を抑制し、放熱効率を向上させる放熱機構が採用される。
【００４５】
図８、９は、放熱機構の一部をなすダクト部材１５０を示す説明図である。なお、図８は、排気口カバー１３２およびモーターファン１４０に接続されたダクト部材１５０を、筐体１００の内部から見た状態を示している。また、図９は、ダクト部材１５０を含む、モーターファン１４０の吸込口１４２から側面パネル１０２に設けられた排気口１３０に至る排気経路沿いの縦断面を、ダクト部材１５０周辺に配置されたシャーシ１７２、１７３など他の部品とともに示している。
【００４６】
ダクト部材１５０は、筐体１００内に設けられたモーターファン１４０の吐出口１４４に連通する第１開口、および排気口１３０に連通する第２開口を有し、モーターファン１４０から吐出される筐体１００内の空気を第１および第２開口を通じて筐体１００外へ伝達する空気伝達部材として機能する。
【００４７】
ダクト部材１５０は、モーターファン１４０が取り付けられるシャーシ１７２およびディスクドライブ格納領域１７８と、筐体１００後方のシャーシ背面壁１７３との間の半密閉空間に配置される。また、ダクト部材１５０は、内部空間が大きな、例えば樹脂製のモールド成形品などとして形成される。このため、製造性および部品配置上の観点から複数の部材を組合せて形成される。
【００４８】
図３を用いて説明したように、筐体１００内では、モーターファン１４０の回転によって、第１および第２吸気口１１０、１２０から第１および第２通気路１６６、１６８およびダクト部材１５０を通じて排気口１３０へ向かう気流が発生する。そして、熱源から発生した熱により暖められた筐体１００内の空気は、モーターファン１４０に吸込まれてダクト部材１５０に吐出され、ダクト部材１５０を通じて排気口１３０から筐体１００外に排出される。
【００４９】
ここで、筐体１００内の空気がモーターファン１４０およびダクト部材１５０を通じて筐体１００外へ排出されるので、熱源の下流側にモーターファン１４０を設けることで、熱源から発生した熱により暖められた空気がダクト部材１５０を通じて排気口１３０から筐体１００外へ排出される。これにより、モーターファン１４０からの空気が排気口１３０に向けて直接的に吐出されないので、モーターファン１４０から吐出される高温の空気から排気口１３０の周辺に設けられたシャーシ１７２、１７３および側面パネル１０２などの筐体１００への熱伝達を抑制することができる。また、筐体１００内の空気がモーターファン１４０に集約されダクト部材１５０を通じて筐体１００外へ排出されるので、筐体１００内での熱拡散が抑制されることで、放熱効率が向上する。
【００５０】
また、図９に示すように、ダクト部材１５０は、例えば発泡性を有する断熱部材１３５を介して排気口カバー１３２に接続される。なお、図９に示す例では、断熱部材１３５は、シーリング部材１３５としても機能する。また、排気側隔室１３８を構成する排気口カバー１３２と側面パネル１０２との間には、断熱層として機能する空間１３９が設けられる。これにより、ダクト部材１５０から排気口カバー１３２への熱伝達、および排気側隔室１３８から側面パネル１０２への熱伝達が抑制されるので、筐体１００への熱伝達を抑制することができる。
【００５１】
前述したような放熱機構の採用により、モーターファン１４０から吐出される高温の空気から排気口１３０の周辺部への熱伝達が抑制され、放熱効率を向上させることができる。なお、ダクト部材１５０の代わりに、同様な機能を有する他の部材を空気伝達部材として設けてもよい。
【００５２】
図１０は、前述した放熱機構による放熱特性を示す説明図である。図１０（ａ）には、従来の放熱機構を有するビデオカメラの温度特性（消費電力３７Ｗ時）が示され、図１０（ｂ）には、前述した放熱機構を有するビデオカメラ１０の温度特性（消費電力５３Ｗ時）が示されている。なお、図９中では、ハッチングの濃淡により温度の高低が表されている。
【００５３】
ここで、従来の放熱機構では、ビデオカメラ１０のハンドルの基部ｂに排気口およびモーターファンが設けられている。また、図１０の上部には、吸気口および排気口が設けられた一側面の温度特性が示され、図１０の下部には、他側面の温度特性が示されている。
【００５４】
図１０に示すように、従来のビデオカメラおよび本実施形態に係るビデオカメラ１０は、ＬＣＤパネルｃの周辺で特に温度上昇が認められる点で共通している。しかし、消費電力の差を考慮しても、従来のビデオカメラでは、ハンドルの基部ｂ、およびＬＣＤパネルｃの周辺の広範な領域に渡る熱拡散が認められる一方、本実施形態に係るビデオカメラ１０では、排気口１３０の周辺領域ａで顕著な温度上昇が認められるが、全体的な熱拡散の領域が限定されていることが認められる。よって、図１０より、本実施形態に係るビデオカメラ１０による放熱効率の向上効果を確認することができる。
【００５５】
以上説明したように、本実施形態に係るビデオカメラ１０によれば、筐体１００の側面には筐体１００の底面外側へ傾斜して吸気開口１１４および排気開口１３４が設けられるので、吸気開口１１４および排気開口１３４から筐体１００の内部への液滴の進入が防止される。また、筐体１００の内面には吸気開口１１４および排気開口１３４と筐体１００の内部との間を各々に隔離するように設けられ、吸気開口１１４および排気開口１３４を筐体１００の内部に各々に連通する通気路を有する吸気側隔室１１８および排気側隔室１３８が各々に設けられる。よって、吸気開口１１４および排気開口１３４と筐体１００の内部との間で通気が維持されるとともに、吸気開口１１４および排気開口１３４から進入した液滴が吸気側隔室１１８内および排気側隔室１３８内に留まることで筐体１００の内部への液滴の進入が防止される。これにより、防水性能の低下を伴うことなしに、吸気口１１０および排気口１３０の大型化が可能となり、放熱効率を向上させることができる。
【００５６】
また、モーターファン１４０から吐出される筐体１００内の空気がダクト部材１５０を通じて筐体１００外に排出されるので、モーターファン１４０から吐出される筐体１００内の高温の空気から排気口１３０の周辺部への熱伝達が抑制される。これにより、放熱効率を向上させることができる。
【００５７】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００５８】
【図１】本発明の一実施形態に係るビデオカメラを示す説明図である。
【図２】ビデオカメラのシステム構成を示すブロック図である。
【図３】ビデオカメラの放熱機構を示す説明図である。
【図４】ビデオカメラの側面パネル（外面）を示す説明図である。
【図５】ビデオカメラの側面パネル（内面）を示す説明図である。
【図６】吸気口の詳細を示す説明図である。
【図７】排気口の詳細を示す説明図である。
【図８】放熱機構の一部をなすダクト部材を示す説明図である。
【図９】放熱機構の一部をなすダクト部材を示す説明図である。
【図１０】放熱機構による放熱特性を示す説明図である。
【符号の説明】
【００５９】
１００    筐体
１１０    第１吸気口（吸気口）
１１２    吸気口カバー
１１４    吸気開口
１１８    吸気側隔室
１２０    第２吸気口
１３０    排気口
１３２    排気口カバー
１３４    排気開口
１３５    シーリング・断熱部材
１３８    排気側隔室
１４０    モーターファン
１５０    ダクト部材（空気伝達部材）
【図１】
2009151037.tif 000003
【図２】
2009151037.tif 000004
【図３】
2009151037.tif 000005
【図４】
2009151037.tif 000006
【図５】
2009151037.tif 000007
【図６】
2009151037.tif 000008
【図７】
2009151037.tif 000009
【図８】
2009151037.tif 000010
【図９】
2009151037.tif 000011
【図１０】
2009151037.tif 000012